(57)【特許請求の範囲】
【請求項１】
立設時に躯体側が形成する屋内空間を区切る間仕切壁あるいは躯体側に形成の開口を閉塞する扉とされるパネルと、弾性に富みながらパネルに一体に付設されてパネルの立設時に躯体側に隣接されるパッキンと、ローラを介してパネルを昇降させるガイドレールと、パネルの背部側となる屋内側に設けられた押し付け手段とを有し、パッキンが躯体側の立面への対向面となるパネルの前面の周辺部に門形を呈するように配在される前面部と、躯体側の床面への対向面となるパネルの下面にこのパネルの幅方向となる軸線方向に沿う線状に配在される下面部とを有し且つ前面部の両下端と下面部の両端とが接続されてパネル上で周回されてなり、更に上記押し付け手段が油圧シリンダと、油圧シリンダの先端に保持されて上記ローラに分離可能に連繋されるホルダとからなり、油圧シリンダの伸長時にローラをホルダに連繋させながらパネルを閉じ方向に附勢させ、油圧シリンダの圧縮時にホルダに連繋されているローラを抜け出させてガイドレールに連繋させながら当該パネルの開き状態を許容することを特徴とする遮音構造
【請求項２】
パッキンが二条の弾性体を有すると共に、この二条の弾性体の間に一条の吸音体を配在させてなる請求項１の遮音構造
【請求項３】
パネルの下面が躯体側の床面にパッキンの介在下に近隣されるパネルの立設準備状態時にパネルの前面の周辺部の上端側が躯体側の立面に隙間を有して対向すると共に、立設準備状態にあるパネルの背面の上端側への油圧シリンダによる外力作用時にパネルの前面の周辺部の上端側が躯体側の立面にパッキンの介在下に近隣されてなる請求項１又は２の遮音構造
【発明の詳細な説明】
【０００１】
【発明の属する技術分野】
この発明は、遮音機能を有しながら横方向に広い屋内空間を適宜の広さに区切る間仕切壁や開口を閉塞する扉などに利用される遮音構造の改良に関する。
【０００２】
【従来技術とその課題】
近年のホールや体育館、さらには、劇場などは、たとえば、躯体側があらかじめ横方向に広い屋内空間を有するように形成される一方で、この横方向に広い屋内空間を必要なときに壁、すなわち、間仕切壁を設置して適宜の広さに区切られるように形成される傾向にある。
【０００３】
そして、この場合の間仕切壁は、多くの場合に遮音機能を有するように設定されるとしており、この遮音機能を具現化する遮音構造としては、従来から種々の提案があるが、おおむね、立設時に躯体側が形成する屋内空間を区切る間仕切壁とされるパネルと、このパネルに配設されてパネルの立設時に躯体側に隣接するパッキンとを有してなる。
【０００４】
そして、パネルは、適宜の遮音体で形成されるのはもちろんであるが、たとえば、屋内空間を形成する躯体側たる天井側に吊持されていて、使用時には下降されて定位置に設置されると共に不使用時には上昇されて格納状態におかれ、あるいは、不使用時には床下のピット内に収納されていて、使用時に迫り上げられるなどに設定されている。
【０００５】
また、パッキンは、多くの場合に遮音体で形成されて直接パネルに連設されていたり、あるいは、進退機構の作動でパネルの端面で出没する遮音体を有していたりなどに設定されている。
【０００６】
それゆえ、上記したような従来の遮音構造によれば、パネルの昇降のみで、あるいは、遮音体の出没を伴いながらのパネルの昇降によって、所定位置への遮音機能を有する間仕切壁の設置を可能にする利点がある。
【０００７】
しかしながら、上記の遮音構造にあっては、パネルを格納するための高い天井空間やパネルを収納するための深い床下空間を要することになり、この各空間を形成できなかったり確保できなかったりする場合には、間仕切壁の装備自体を困難にする不具合がある。
【０００８】
また、上記の遮音構造にあって、遮音体で形成されたパッキンが直接パネルに連設されているときに、いわゆるヘタリによる遮音機能の低下が考慮されていない場合には、所定の遮音機能を発揮し得なくなる不具合を招く危惧がある。
【０００９】
さらに、上記の遮音構造にあって、遮音体が進退機構の作動でパネルの端面で出没するように設定される場合には、進退機構をパネルに設けることから、パネルの大型化や重量の増大化を招き易くなり、その設置にあってのコストの増大化が招来される上に、使用に際しての経費を嵩ませるなどの不具合がある。
【００１０】
この発明は、上記した事情を鑑みて創案されたものであって、その目的とするところは、簡単な構成にしながら所望の遮音間仕切壁あるいは遮音扉としての機能を実現させ、かつ、コストの低廉化を可能にしてその汎用性の向上を期待するのに最適となる遮音構造を提供することである。
【００１１】
【課題を解決するための手段】
上記した目的を達成するために、この発明の構成を、基本的には、立設時に躯体側が形成する屋内空間を区切る間仕切壁あるいは躯体側に形成の開口を閉塞する扉とされるパネルと、弾性に富みながらパネルに一体に付設されてパネルの立設時に躯体側に隣接されるパッキンと、ローラを介してパネルを昇降させるガイドレールと、パネルの背部側となる屋内側に設けられた押し付け手段とを有し、パッキンが躯体側の立面への対向面となるパネルの前面の周辺部に門形を呈するように配在される前面部と、躯体側の床面への対向面となるパネルの下面にこのパネルの幅方向となる軸線方向に沿う線状に配在される下面部とを有し且つ前面部の両下端と下面部の両端とが接続されてパネル上で周回されてなり、更に上記押し付け手段が油圧シリンダと、油圧シリンダの先端に保持されて上記ローラに分離可能に連繋されるホルダとからなり、油圧シリンダの伸長時にローラをホルダに連繋させながらパネルを閉じ方向に附勢させ、油圧シリンダの圧縮時にホルダに連繋されているローラを抜け出させてガイドレールに連繋させながら当該パネルの開き状態を許容することを特徴とする。
【００１２】
そして、より具体的には、パッキンが二条の弾性体を有すると共に、この二条の弾性体の間に一条の吸音体を配在させてなるとする。
【００１４】
さらに、パネルの下面が躯体側の床面にパッキンの介在下に近隣されるパネルの立設準備状態時にパネルの前面の周辺部の上端側が躯体側の立面に隙間を有して対向すると共に、立設準備状態にあるパネルの背面の上端側への油圧シリンダによる外力作用時にパネルの前面の周辺部の上端側が躯体側の立面にパッキンの介在下に近隣されてなるとする。
【００１５】
【発明の実施の形態】
以下に、図示したところに基いて、この発明を詳細に説明するが、図１乃至図４は本発明に係るパネル自体の実施の形態と、これを利用した遮音構造の参考例を示し、図５、図６は上記のパネルを利用した各請求項の発明に対応する遮音構造を示す。この発明の一実施の形態による間仕切壁は、パネル１とパッキン２とを有している。
【００１６】
なお、パネル１は、図示する実施の形態では、立設時に躯体Ｂ（図２参照）側が形成する屋内空間Ａ（図２参照）を区切る間仕切壁、すなわち、壁体を構成するものに設定されているが、これに代えて、後述する図５に示すように、躯体Ｂ側に形成の開口Ｏを閉塞する扉を構成するものに設定されても良い。
【００１７】
まず、パネル１は、たとえば、図３および図４に示すように、ハニカム構造などの適宜の構造の採用で軽量化が図られつつ壁体としての所定の機械的強度を有し、かつ、遮音性にも優れるように一枚の板状に形成された芯材１１と、この芯材１１の図３中で下面となる前面（符示せず）と図３中で上面となる背面（符示せず）にそれぞれ展設されて遮音効果を有しながら装飾効果をも有するように形成された化粧材１２とを有してなる。
【００１８】
これによって、パネル１の軽量化が可能になり、これを昇降させる、特に、上昇させるときの駆動源（図示せず）を大型化させないで済む一方で、高い遮音性能を期待でき、かつ、看者をしていわゆる違和感を招来させないようにすることが可能になる。
【００１９】
一方、パネル１は、図３中で左右側端となるその両側端にそれぞれブラッケト１３を有してなり、図３中で左右方向となるこのブラッケト１３のパネル１の幅方向、すなわち、軸線方向に向く側面１３ａの上下側に同じくパネル１の軸線方向に向けて突設された軸１４を有すると共に、この軸１４に後述するガイドレール３に連繋するローラ１５を枢着させている（図２参照）。
【００２０】
なお、ローラ１５、すなわち、軸１４の安定した配設状態を恒久的に維持できる限りにおいては、たとえば、ブラッケト１３の配設が省略されて、軸１４が芯材１１に直接植設されてなるとしても良い。
【００２１】
つぎに、パッキン２は、弾性に富みながらパネル１に一体に付設されてパネル１の立設時に躯体Ｂ側に隣接されるもので、この発明では、躯体Ｂ側の立面Ｂ１（図２参照）への対向面となるパネル１の前面１ａ（図１参照）の周辺部に門形を呈するように配在される前面部２ａと、躯体Ｂ側の床面Ｂ２（図２参照）への対向面となるパネル１の下面１ｂ（図１参照）にこのパネル１の軸線方向に沿う線状に配在される下面部２ｂとを有してなる。
【００２２】
そして、このパッキン２は、前面部２ａの両下端と下面部２ｂの両端とがそれぞれ接続されて、パネル１上で無限帯状に周回されてなるとするもので（図１参照）、これによって、パッキン２の周回される全域に亙っていわゆる隙間が出現されず、したがって、隙間があることに起因する音漏れや空気漏れを未然に阻止し得ることになる。
【００２３】
ところで、パッキン２は、図示する実施の形態にあって、二条の弾性体２１を有すると共に、この二条の弾性体２１の間に一条の吸音体２２を配在させてなるとしている。
【００２４】
すなわち、図３および図４に示すように、弾性体２１は、図示する実施の形態では、ゴムなどの弾性材料でチューブ状に形成されており、内部にエアが充満されて膨張状態にあるのを常態としており、かつ、これが躯体Ｂ側の立面Ｂ１あるいは床面Ｂ２（図４参照）に隣接されるときには、この立面Ｂ１あるいは床面Ｂ２の態様に応じていわゆる馴染むように密着して、音漏れや空気漏れの原因となる隙間を出現させないとしている。
【００２５】
ちなみに、弾性体２１は、いわゆる基端がブラケット１３に連設されたフレーム２１ａに連結されていて、いわゆる先端が上記の立面Ｂ１あるいは床面Ｂ２に接触するとしている。
【００２６】
なお、弾性体２１は、ゴムなどの弾性材料でチューブ状に形成されているのに代えて、弾性に富むスポンジ材や発砲性ウレタン材で中実体、すなわち、棒状に形成されているとしても良い。
【００２７】
一方、吸音体２２は、断面が矩形となるフェルトで棒状に形成されており、いわゆる長さが上記のフレーム２１ａより長くなるように設定されるが、自由状態にある弾性体２１の先端よりは突出しない長さになるように設定されている。
【００２８】
これによって、弾性体２１が躯体Ｂ側の立面Ｂ１あるいは床面Ｂ２に隣接されるときに、その変形量に応じて吸音体２２の先端が立面Ｂ１あるいは床面Ｂ２に隣接されることになり、したがって、このときに、仮に弾性体２１のみでは漏れる虞がある音を吸音体２２が吸収することになる。
【００２９】
また、吸音体２２は、フェルトからなることで、弾性材料からなる弾性体２１に比較して剛性が高くなり、したがって、弾性体２１の必要以上の変形を抑制するように機能して、弾性体２１の耐久性を向上させることにもなる。
【００３０】
以上のように形成されたパネル１は、図示する実施の形態では、図２中に仮想線図で示すように、また、図３に示すように、パネル１の幅方向の両側端にそれぞれ上下となる位置関係に近隣配置されたガイドレール３に副って昇降するように設定されている。
【００３１】
そして、このガイドレール３は、下端側を湾曲させて下端が躯体Ｂ側の立面Ｂ１側に接近されるように設定されており、パネル１がガイドレール３に副って下降したときに、パネル１の下面１ｂが躯体Ｂ側の床面Ｂ２に、また、パネル１の前面１ａの周辺部が躯体Ｂ側の立面Ｂ１に、それぞれパッキン２を圧接させる状態にして近隣されるとしている。
【００３２】
また、このガイドレール３は、屋内空間Ａに位置する部位が躯体Ｂ側の壁面Ｂ３（図３参照）に保持される一方で、上端側が躯体Ｂ側に適宜の手段で保持されて屋内空間Ａの上方空間たる天井側に延在されるとしている。
【００３３】
そしてまた、このガイドレール３の上端側は、図示する実施の形態では、天井側で水平方向に延在されるとしており、パネル１が天井側に臨在されるとき、いわゆる横倒し状態になって、天井側の空間をいたずらに高くさせないように配慮している。
【００３４】
それゆえ、天井側の空間が極めて高い場合には、たとえば、劇場の舞台上方のように高い天井空間がある場合には、ガイドレール３の上端側が真直ぐ上昇されるように設定されるとしても良いこともちろんである。
【００３５】
以上のように、ガイドレール３の下端側が湾曲されて下端が躯体Ｂ側の立面Ｂ１側に接近されるように設定されてなることで、パネル１をガイドレール３に副って下降させることのみで、屋内空間Ａを区切ることが可能になるのはもちろんのこと、このときに、パネル１がその自重でパッキン２を躯体Ｂ側の立面Ｂ１および床面Ｂ２に圧接させることになり、その結果、外力作用を要することなく、所望の遮音機能の発揮を可能にすることになる。
【００３６】
すなわち、この種のパネル１の昇降やいわゆるセッティングなどの移動には、多くの場合に、適宜の駆動源を利用しての外力作用で実現されることを勘案すれば、この実施の形態では、これら駆動源を必要としなくて済み、かつ、人手による操作も必要とさせないことになる。
【００３７】
ちなみに、パネル１のガイドレール３に副っての上昇は、任意の手段によるとして良いが、たとえば、図示しないが、パネル１を横倒し状態にして天井側に臨在させる場合には、パネル１の下端部に連結した吊りワイヤなどの牽引により、また、パネル１を立てた状態のまま上昇させる場合には、パネル１の上端に連結した吊りワイヤなどの牽引で、それぞれが実現されることになる。
【００３８】
図５は、この発明の遮音構造を躯体Ｂ側に形成の開口Ｏを閉塞する扉に具現化した場合の実施の形態を示すが、この実施の形態では、扉とされるパネル１がガイドレール３に副って下降されてパッキン２の介在下に躯体Ｂ側に近隣される場合に、特に、パネル１の正面１ａが躯体Ｂ側の立面Ｂ１に近隣される手順において、前記した実施の形態の場合と異なる点に特徴がある。
【００３９】
すなわち、この実施の形態では、パネル１が下降されて下面１ｂが躯体Ｂ側の床面Ｂ２にパッキン２の介在下に近隣されるパネル１の立設準備状態時（図５中に仮想線図で示す状態時）に、このパネル１の前面１ａの周辺部の上端側が躯体Ｂ側の立面Ｂ１に隙間を有して対向すると共に、この立設準備状態にあるパネル１の背面１ｃの上端側への適宜の押し付け手段４による外力作用でパネル１が立設されて前面１ａの周辺部の上端側が躯体Ｂ側の立面Ｂ１にパッキン２の介在下に近隣される（図５中の実線図参照）とするものである。
【００４０】
言わば、最初に足元を所定の位置に位置決めてから、全体による開口Ｏの閉塞と遮音を図るとするもので、前記した実施の形態では、パネル１が言わば最下降された時点で、パネル１の下面１ｂが床面Ｂ２に、また、パネル１の正面１ａが立面Ｂ１に、それぞれパッキン２の介在下に同時に近隣される（図２参照）とした点と異なることになる。
【００４１】
そして、この実施の形態では、押し付け手段４による外力作用で扉たるパネル１を所定の立設状態に維持できるから、パネル１が屋外からの大きい風圧作用によっても簡単に開放されないようにすることが可能になる。
【００４２】
少し説明すると、まず、パネル１は、図６に示すように、背面１ｃの上端部に連設のブラケット１６に保持されたローラ１７を有してなり、このローラ１７を介しての押し付け手段４からの押し付け作用で所定の立設状態に維持されると共に、このローラ１７を介しての押し付け手段４によるいわゆる引き付け作用で半開放状態、すなわち、上記した立設準備状態にされるとしている。
【００４３】
また、パネル１は、この実施の形態では、躯体Ｂ側に配在された駆動源たるウインチＷの駆動でガイドレール３に副って昇降されるとしており、ウインチＷから引き出される吊りワイヤＷ１の一端がパネル１の下端部に連結されている（図５参照）。
【００４４】
つぎに、押し付け手段４は、この実施の形態では、パネル１の背後側となる屋内側に横置き状態に配在された油圧シリンダ４１を有してなり、図６に示すように、この油圧シリンダ４１の基端４１ａが固定端側に設定されると共に、先端４１ｂに保持されたホルダ４２がパネル１の背面１ｃのローラ１７に分離可能に連繋されるとしている。
【００４５】
そして、ホルダ４２は、ローラ１７を図６中で左右側となる前後側から挟持する状態に臨在させると共にガイドレール３の幅に一致する間隔を有するように設定された一対の係止板４２ａ，４２ｂを有しており、後側の係止板４２ａにローラ１７を当接させた状態で油圧シリンダ４１が伸長されるときにローラ１７を介してのパネル１の起立を可能にし、前側の係止板４２ｂにローラ１７を当接させた状態で油圧シリンダ４１が圧縮されるときにローラ１７を介してのパネル１の傾倒を可能にするとしている。
【００４６】
それゆえ、この実施の形態では、図５中に仮想線図で示す収納状態におかれているパネル１は、この状態から吊りワイヤＷ１のウインチＷからの引き出しが許容されることで、その自重でガイドレール３に副って下降すると共に下端が所定位置に位置決められて、立設準備状態におかれる。
【００４７】
このとき、パネル１に保持されているローラ１７は、ガイドレール３の開口端からいわゆる落下するようにして抜け出し、押し付け手段４における油圧シリンダ４１に連設のホルダ４２に連繋される。
【００４８】
上記の立設準備状態にあるパネル１は、押し付け手段４における油圧シリンダ４１の伸長でホルダ４２およびローラ１７を介して起立状態、すなわち、所定の立設状態に移行される。
【００４９】
上記と反対に、立設状態にあるパネル１は、油圧シリンダ４１の圧縮でホルダ４２およびローラ１７を介して傾倒、すなわち、半開き状態たる立設準備状態に戻される。
【００５０】
このとき、パネル１に保持されているローラ１７は、ガイドレール３の開口端の下方に位置決められており、したがって、この状態でパネル１が吊りワイヤＷ１で吊り上げられるとき、ホルダ４２から抜け出してガイドレール３に連繋される。
【００５１】
そして、この状態のままさらに吊りワイヤＷ１が巻き上げられるとき、パネル１のガイドレール３に副っての上昇、すなわち、図示する実施の形態では、屋内の天井側にいわゆる横置き状態に収納される。
【００５２】
それゆえ、この実施の形態による場合には、パネル１をガイドレール３に副って下降されることで、躯体Ｂ側に形成の開口Ｏを閉塞することが可能になるのはもちろんのこと、このときに、パネル１が押し付け手段４からの外力作用で躯体Ｂ側に押し付けられるようになるから、所望の遮音機能の確実な発揮可能にすることになる。
【００５３】
また、この実施の形態による場合には、押し付け手段４でパネル１を躯体Ｂ側に押し付けるようにすることから、パッキン２における弾性体２１は、前記した実施の形態の場合のように、ゴムなどの弾性材料でチューブ状に形成されてなるのに代えて、比較すれば言わば剛性が高くなり、容易に変形しない傾向になるウレタン材からなる中実体で形成されてなるとするのが良く、特に、屋外からの雨水や風の浸入を防ぐ上から、また、耐久性を期待する上からは、好ましいと言い得ることになる。
【００５４】
上記したところが、この図５に示す実施の形態における遮音構造の基本的な特徴であるが、以下のように、押し付け手段４がパネル１の移動に対して連れ運動するように配慮しても良い。
【００５５】
すなわち、押し付け手段４を構成する油圧シリンダ４１の基端４１ａがブラケット４３に枢支されると共に、このブラケット４３が天井側に配在したレールＲに移動可能に連結されてなるとする。
【００５６】
これによって、パネル１の立設準備状態時以降は、油圧シリンダ４１を伸縮自由とするいわゆるフリーの状態に維持することで、パネル１の横置き状態での収納を実行する際に、パネル１のガイドレール３に副っての移動に追随して油圧シリンダ４１が伸縮しながら連れ運動することになる。
【００５７】
その結果、油圧シリンダ４１の先端４１ｂに連設のホルダ４２には、パネル１に配設のローラ１７を常時連繋させたままの状態に維持することが可能になり、したがって、ガイドレール３とホルダ４２との間でのいわゆる連繋ミスを発生させないことが可能になる。
【００５８】
【発明の効果】
以上のように、この発明にあっては、立設時に躯体側が形成する屋内空間を区切る間仕切壁あるいは躯体側に形成の開口を閉塞する扉とされるパネルに一体に付設されてパネルの立設時に躯体側に隣接されるパッキンが弾性に富みながらパネル躯体側の立面への対向面となるパネルの前面の周辺部に門形を呈するように配在される前面部と、躯体側の床面への対向面となるパネルの下面にこのパネルの幅方向となる軸線方向に沿う線状に配在される下面部とを有し、前面部の両下端と下面部の両端とが接続されてパッキンがパネル上で周回されてなるとするから、このパッキンが躯体側に密接されることで、パッキンの周回される全域に亙っていわゆる隙間が出現させず、したがって、隙間があることに起因する音漏れや空気漏れを未然に阻止して、確実な遮音を実現できることになる。
【００５９】
このときに、パッキンが二条の弾性体を有すると共に、この二条の弾性体の間に一条の吸音体を配在させてなる場合には、弾性体がゴムなどの弾性材料でチューブ状に形成されることで、躯体側に隣接されるときにいわゆる馴染むように密着して、音漏れや空気漏れの原因となる隙間を出現させず、また、吸音体がフェルトで棒状に形成されていわゆる長さが自由状態にある弾性体の先端よりは突出しない長さに形成されることで、躯体側に隣接されるときに仮に弾性体のみでは漏れる虞がある音をこの吸音体が吸収することになり、さらに、吸音体がフェルトで形成されることで、弾性材料からなる弾性体に比較して剛性が高くなり、したがって、弾性体の必要以上の変形を抑制するように機能して、弾性体の耐久性を向上させることにもなる。
【００６１】
さらに、この発明にあっては、パネルの下面が躯体側の床面にパッキンの介在下に近隣されるパネルの立設準備状態時にパネルの前面の周辺部の上端側が躯体側の立面に隙間を有して対向すると共に、立設準備状態にあるパネルの背面の上端側への適宜の押し付け手段による外力作用時にパネルの前面の周辺部の上端側が躯体側の立面にパッキンの介在下に近隣されてなるとする場合には、パネルをガイドレールに副って下降させることで、躯体側に隣接させることが可能になるのはもちろんのこと、このときに、パネルが押し付け手段からの外力作用で躯体側に押し付けられるようになるから、所望の遮音機能の確実な発揮可能にすることになる。
【００６２】
そして、この場合には、押し付け手段でパネルを躯体側に押し付けるようにすることから、パッキンにおける弾性体は、ゴムなどの弾性材料でチューブ状に形成されてなるのに代えて、比較すれば言わば剛性が高くなり、容易に変形しない傾向になるウレタン材からなる中実体で形成することが可能になり、特に、パネルが屋外に通じる開口を閉塞する扉に設定される場合に、パッキンにおける防水機能および耐久性の向上が可能になる点で有利となる。
【００６３】
その結果、この発明によれば、簡単な構成にしながら所望の遮音間仕切壁あるいは遮音扉としての機能を実現させ、かつ、コストの低廉化を可能にしてその汎用性の向上を期待するのに最適となる利点がある。
【図面の簡単な説明】
【図１】この発明の遮音構造を具現化した間仕切壁の一実施の形態を一部破断して示す正面図である。
【図２】図１の間仕切壁を立設した状態を一部破断してガイドレールと共に示す側面図である。
【図３】図１の間仕切壁を一部破断して示す拡大横断面図である。
【図４】図１の間仕切壁を一部破断して示す拡大縦断面図である。
【図５】この発明による遮音構造の他の実施の形態を一部断面で示す側面図である。
【図６】図５における押し付け部分を拡大して示す側面図である。
【符号の説明】
１  パネル
１ａ  前面
１ｂ  下面
２  パッキン
２ａ  前面部
２ｂ  下面部
３  ガイドレール
２１  弾性体
２２  吸音体
Ａ  屋内空間
Ｂ  躯体
Ｂ１  立面
Ｂ２  床面
Ｏ  開口
【図１】
0003705894.tif 000002
【図２】
0003705894.tif 000003
【図３】
0003705894.tif 000004
【図４】
0003705894.tif 000005
【図５】
0003705894.tif 000006
【図６】
0003705894.tif 000007